(57)【特許請求の範囲】
【請求項１】
ユーザ情報の入力を受け付けるクライアント端末と、コンテンツデータを対応付けるテーマを複数含むテンプレートとユーザ情報とを対応付けて記憶する情報処理装置と、を含む情報処理システムであって、
前記情報処理装置は、
前記コンテンツデータを前記テーマに対応付けて記憶する指示を受け付ける指示受付手段と、
前記指示受付手段により前記指示を受け付けた場合に、指示を受け付けたコンテンツデータを前記テンプレートに含まれるテーマと対応付けて記憶する記憶手段と、
前記記憶手段において、前記テンプレートに含まれる全てのテーマに前記コンテンツデータが対応付けて記憶されて当該テンプレートが完成していると判定される場合に当該完成しているテンプレートに対応するユーザ情報が入力されたクライアント端末に送信される、当該テンプレートに対応したインセンティブを記憶するインセンティブ記憶手段と
を備え、
前記クライアント端末は、
前記インセンティブ記憶手段に記憶された、前記全てのテーマにコンテンツデータが対応付けて記憶されて完成しているテンプレートであって当該クライアント端末において入力されたユーザ情報に対応するテンプレートのインセンティブを取得するインセンティブ取得手段と、
前記インセンティブ取得手段で取得した前記インセンティブを再生する再生手段と、
を備えることを特徴とする情報処理システム。
【請求項２】
前記記憶手段は更に、前記コンテンツデータを前記テンプレートに含まれるテーマと対応付けて記憶した日時を記憶し、
前記インセンティブ記憶手段は、テンプレートに含まれる全てのテーマに前記コンテンツデータが対応付けて記憶されて前記テンプレートが完成するまでの期間に応じて前記クライアント端末に送信される複数のインセンティブを記憶し、
前記インセンティブ取得手段は、前記複数のインセンティブのうち、前記テンプレートが完成するまでの期間に応じた前記インセンティブを取得することを特徴とする請求項１に記載の情報処理システム。
【請求項３】
前記クライアント端末は、
テンプレートに含まれる全てのテーマに前記コンテンツデータが対応付けて記憶されて前記テンプレートが完成している場合に、前記インセンティブを取得する指示を受け付けるための操作受付部を、ユーザからの操作の受付が可能な状態にして表示画面に表示する表示手段と、
を備え、
前記インセンティブ取得手段は、前記表示手段で表示された前記操作受付部に対して前記インセンティブを取得する旨の操作を受け付けた場合に、前記インセンティブを取得することを特徴とする請求項１又は２に記載の情報処理システム。
【請求項４】
前記コンテンツデータは画像データであり、
前記インセンティブは、全てのテーマに前記コンテンツデータが対応付けて記憶されて完成したテンプレートのテーマに対応付けられた画像データを順に再生する動画であって、
前記再生手段は、前記インセンティブ取得手段で取得したインセンティブである前記動画を再生することを特徴とする請求項１乃至３のいずれか１項に記載の情報処理システム。
【請求項５】
ユーザ情報の入力を受け付けるクライアント端末と、コンテンツデータを対応付けるテーマを複数含むテンプレートとユーザ情報とを対応付けて記憶する情報処理装置と、を含む情報処理システムの制御方法であって、
前記情報処理装置において、
前記コンテンツデータを前記テーマに対応付けて記憶する指示を受け付ける指示受付ステップと、
前記指示受付ステップにより前記指示を受け付けた場合に、指示を受け付けたコンテンツデータを前記テンプレートに含まれるテーマと対応付けて記憶する記憶ステップと、
前記記憶ステップにおいて、前記テンプレートに含まれる全てのテーマに前記コンテンツデータが対応付けて記憶されて当該テンプレートが完成していると判定される場合に当該完成しているテンプレートに対応するユーザ情報が入力されたクライアント端末に送信される、当該テンプレートに対応したインセンティブを記憶するインセンティブ記憶ステップと
を含み、
前記クライアント端末において、
前記インセンティブ記憶ステップにおいて記憶された、前記全てのテーマにコンテンツデータが対応付けて記憶されて完成しているテンプレートであって当該クライアント端末において入力されたユーザ情報に対応するテンプレートのインセンティブを取得するインセンティブ取得ステップと、
前記インセンティブ取得ステップで取得した前記インセンティブを再生する再生ステップと、
を含むことを特徴とする情報処理システムの制御方法。
【請求項６】
ユーザ情報の入力を受け付けるクライアント端末と、コンテンツデータを対応付けるテーマを複数含むテンプレートとユーザ情報とを対応付けて記憶する情報処理装置と、を含む情報処理システムで実行可能なプログラムであって、
前記情報処理装置を、
前記コンテンツデータを前記テーマに対応付けて記憶する指示を受け付ける指示受付手段と、
前記指示受付手段により前記指示を受け付けた場合に、指示を受け付けたコンテンツデータを前記テンプレートに含まれるテーマと対応付けて記憶する記憶手段と、
前記記憶手段において、前記テンプレートに含まれる全てのテーマに前記コンテンツデータが対応付けて記憶されて当該テンプレートが完成していると判定される場合に当該完成しているテンプレートに対応するユーザ情報が入力されたクライアント端末に送信される、当該テンプレートに対応したインセンティブを記憶するインセンティブ記憶手段として機能させ、
前記クライアント端末を、
前記インセンティブ記憶手段に記憶された、前記全てのテーマにコンテンツデータが対応付けて記憶されて完成しているテンプレートであって当該クライアント端末において入力されたユーザ情報に対応するテンプレートのインセンティブを取得するインセンティブ取得手段と、
前記インセンティブ取得手段で取得した前記インセンティブを再生する再生手段として機能させることを特徴とする情報処理システムのプログラム。
【請求項７】
ユーザ情報の入力を受け付ける機能と、情報処理装置に記憶されたコンテンツデータを対応付けるテーマを複数含むテンプレートを記憶する機能と、テンプレートに含まれる全てのテーマにコンテンツデータが対応付けて記憶されて当該テンプレートが完成していると判定される場合に、当該完成している、前記入力を受け付けたユーザ情報に対応するテンプレートのインセンティブを取得するインセンティブ取得手段と、前記インセンティブ取得手段で取得した前記インセンティブを再生する再生手段と、を備えるクライアント端末と通信可能な、前記テンプレートとユーザ情報とを対応付けて記憶する情報処理装置であって、
前記コンテンツデータを前記テーマに対応付けて記憶する指示を受け付ける指示受付手段と、
前記指示受付手段により前記指示を受け付けた場合に、指示を受け付けたコンテンツデータを前記テンプレートに含まれるテーマと対応付けて記憶する記憶手段と、
テンプレートが全てのテーマにコンテンツデータが対応付けて記憶されて完成していると判定される場合に、前記インセンティブ取得手段で、当該テーマを含むテンプレートに対応するユーザ情報が入力されたクライアント端末に当該テンプレートに対応したインセンティブを取得させるべく送信するインセンティブ送信手段と
を備えることを特徴とする情報処理装置。
【請求項８】
ユーザ情報の入力を受け付ける機能と、情報処理装置に記憶されたコンテンツデータを対応付けるテーマを複数含むテンプレートを記憶する機能と、テンプレートに含まれる全てのテーマにコンテンツデータが対応付けて記憶されて当該テンプレートが完成していると判定される場合に、当該完成している、前記入力を受け付けたユーザ情報に対応するテンプレートのインセンティブを取得するインセンティブ取得手段と、前記インセンティブ取得手段で取得した前記インセンティブを再生する再生手段と、を備えるクライアント端末と通信可能な、前記テンプレートとユーザ情報とを対応付けて記憶する情報処理装置の制御方法であって、
前記コンテンツデータを前記テーマに対応付けて記憶する指示を受け付ける指示受付ステップと、
前記指示受付ステップにより前記指示を受け付けた場合に、指示を受け付けたコンテンツデータを前記テンプレートに含まれるテーマと対応付けて記憶する記憶ステップと、
テンプレートが全てのテーマにコンテンツデータが対応付けて記憶されて完成していると判定される場合に、前記取得手段で、当該テーマを含むテンプレートに対応するユーザ情報が入力されたクライアント端末に当該テンプレートに対応したインセンティブを取得させるべく送信するインセンティブ送信ステップと
を含むことを特徴とする情報処理装置の制御方法。
【請求項９】
ユーザ情報の入力を受け付ける機能と、情報処理装置に記憶されたコンテンツデータを対応付けるテーマを複数含むテンプレートを記憶する機能と、テンプレートに含まれる全てのテーマにコンテンツデータが対応付けて記憶されて当該テンプレートが完成していると判定される場合に、当該完成している、前記入力を受け付けたユーザ情報に対応するテンプレートのインセンティブを取得するインセンティブ取得手段と、前記インセンティブ取得手段で取得した前記インセンティブを再生する再生手段と、を備えるクライアント端末と通信可能な、前記テンプレートとユーザ情報とを対応付けて記憶する情報処理装置で実行可能なプログラムであって、
前記情報処理装置を、
前記コンテンツデータを前記テーマに対応付けて記憶する指示を受け付ける指示受付手段と、
前記指示受付手段により前記指示を受け付けた場合に、指示を受け付けたコンテンツデータを前記テンプレートに含まれるテーマと対応付けて記憶する記憶手段と、
テンプレートが全てのテーマにコンテンツデータが対応付けて記憶されて完成していると判定される場合に、前記インセンティブ取得手段で、当該テーマを含むテンプレートに対応するユーザ情報が入力されたクライアント端末に当該テンプレートに対応したインセンティブを取得させるべく送信するインセンティブ送信手段として機能させることを特徴とする情報処理装置のプログラム。
【発明の詳細な説明】
【技術分野】
【０００１】
本発明は、インターネットで提供するオンラインアルバムサイトにおけるオリジナルコンテンツの提供方法に関する。
【背景技術】
【０００２】
近年、撮像装置を用いて撮影した画像を、インターネット上で公開するオンラインアルバムサイトにアップロード（掲載）して不特定多数のユーザで画像の閲覧を楽しむサービスが普及している。著名なサービスとしては、オンラインアルバムのＣＡＮＯＮ  ｉＭＡＧＥ  ＧＡＴＥＷＡＹ（登録商標）や、ソーシャルネットワークサービスとしてＦａｃｅｂｏｏｋ（登録商標）などが挙げられる。
【０００３】
これら不特定多数のユーザと画像を共有して楽しむオンラインアルバムサイトでは、ユーザにより任意の画像をランダムにアップロードされるほか、何がしかのテーマを設定し、そのテーマに沿った内容の画像をアップロードして、ユーザ間のコミュニケーションを図る方法がある。例えば、ベネッセコーポレーション社の提供する「いぬのきもち」（登録商標）というオンラインサイトでは、家庭内のペットのあるしぐさ（例えば、“寝相”や“笑顔”など）をテーマに設定してユーザからの画像投稿（アップロード）を受け付けるサービスが行われている。
【０００４】
また、あるユーザからの一方的な画像投稿に限らず、テーマに対して投稿されたコンテンツ（画像）を総合的かつ相対的（客観的）に評価し、希望するユーザが、テーマと自身の意図に合致するコンテンツを適切に取得することができ、ユーザ同士のコンテンツの交換を効率的に行う仕組みが開示されている（例えば、特許文献１）。
【先行技術文献】
【特許文献】
【０００５】
【特許文献１】特開２００９−１８１２６２号公報
【発明の開示】
【発明が解決しようとする課題】
【０００６】
特許文献１に開示されている発明によれば、ユーザ同士で所望するコンテンツ（画像）の交換を効率的に行うことが可能であるが、これらのサービスは、一部のヘビーユーザ同士に利用されることが多く、日常的にオンラインアルバムサイトを利用する機会の少ないライトユーザを顧客として獲得し、ヘビーユーザとなってサイトのサービスを新たなユーザ層に周知してもらうためには、何かしらのインセンティブをユーザに提供して、更なるサービスの利用を促進することが効果的であると考えられる。また、ヘビーユーザがオンラインサイトが出すテーマに沿った写真を必ず毎回アップロードしている場合には、オンラインサイトの管理側からも何かしらヘビーユーザに対するインセンティブを提供することによって、ユーザのサイト利用に対するモチベーションをつなぎ留め、更なるサービスの利用を促進することが望まれる。
【０００７】
そこで本発明は、コンテンツデータが対応付けられるテーマを含むテンプレートが完成している場合に、当該テンプレートに対応するインセンティブを取得する仕組みを提供することを目的とする。
【課題を解決するための手段】
【０００８】
本発明は、ユーザ情報の入力を受け付けるクライアント端末と、コンテンツデータを対応付けるテーマを複数含むテンプレートとユーザ情報とを対応付けて記憶する情報処理装置と、を含む情報処理システムであって、前記情報処理装置は、前記コンテンツデータを前記テーマに対応付けて記憶する指示を受け付ける指示受付手段と、前記指示受付手段により前記指示を受け付けた場合に、指示を受け付けたコンテンツデータを前記テンプレートに含まれるテーマと対応付けて記憶する記憶手段と、前記記憶手段において、前記テンプレートに含まれる全てのテーマに前記コンテンツデータが対応付けて記憶されて当該テンプレートが完成していると判定される場合に当該完成しているテンプレートに対応するユーザ情報が入力されたクライアント端末に送信される、当該テンプレートに対応したインセンティブを記憶するインセンティブ記憶手段とを備え、前記クライアント端末は、前記インセンティブ記憶手段に記憶された、前記全てのテーマにコンテンツデータが対応付けて記憶されて完成しているテンプレートであって当該クライアント端末において入力されたユーザ情報に対応するテンプレートのインセンティブを取得するインセンティブ取得手段と、前記インセンティブ取得手段で取得した前記インセンティブを再生する再生手段と、を備えることを特徴とする。
【発明の効果】
【０００９】
本発明によれば、コンテンツデータが対応付けられるテーマを含むテンプレートが完成している場合に、当該テンプレートに対応するインセンティブを取得する仕組みを提供することが可能になる。
【図面の簡単な説明】
【００１０】
【図１】本実施形態にかかる情報処理システムの全体構成を示す図である。
【図２】本実施形態にかかる情報処理システムを構成する各装置のハードウエア構成を示す図である。
【図３】本実施形態にかかるクライアント端末１００の表示部において表示される画面構成例を示す図である。
【図４】本実施形態にかかるクライアント端末１００の表示部において表示される画面構成例を示す図である。
【図５】本実施形態にかかるクライアント端末１００の表示部において表示される画面構成例を示す図である。
【図６】本実施形態にかかるクライアント端末１００の表示部において表示される画面構成例を示す図である。
【図７】本実施形態にかかるクライアント端末１００の表示部において表示される画面構成例を示す図である。
【図８】本実施形態にかかるクライアント端末１００の表示部において表示される画面構成例を示す図である。
【図９】本実施形態にかかるウェブサイトサーバ２００で記憶管理されるユーザデータとフォトテンプレートの関係構成例を示す図である。
【図１０】本実施形態にかかるウェブサイトサーバ２００で記憶管理される画像データのデータテーブル構成例を示す図である。
【図１１】本実施形態にかかるウェブサイトサーバ２００で記憶管理される画像データのデータテーブル構成例を示す図である。
【図１２】本実施形態にかかるウェブサイトサーバ２００で記憶管理される画像データのデータテーブル構成例を示す図である。
【図１３】本実施形態にかかる情報処理システムの処理概要を示すフローチャート図である。
【図１４】本実施形態にかかる情報処理システムの処理概要を示すフローチャート図である。
【図１５】本実施形態にかかるクライアント端末１００の表示部において表示される画面構成例を示す図である。
【図１６】本実施形態にかかるクライアント端末１００の表示部において表示される画面構成例を示す図である。
【図１７】本実施形態にかかるクライアント端末１００の表示部において表示される画面構成例を示す図である。
【発明を実施するための形態】
【００１１】
＜システム構成＞
以下、図面を用いて本実施形態について説明をする。図１は、本実施形態を実現するためのシステム構成例を示した図である。図１の情報処理システムでは、クライアント端末１００とウェブサイトサーバ２００とが、ネットワーク１を介して接続可能な状態にある。
【００１２】
本実施形態においてクライアント端末１００のＣＰＵ２０１は、インターネットにアクセスするためのインターネットブラウザを備えている。また、本実施形態においてウェブサイトサーバ２００は、クライアント端末１００から選択を受け付けてアップロードされる画像を記憶部（例えばＨＤＤ）の所定の記憶領域に記憶し、ユーザによって作成されるアルバムのデータテーブルを記憶している。ウェブサイトサーバ２００に記憶されるアルバムのデータテーブルは、後述の図１３で説明する。
【００１３】
＜ハードウェア構成＞
次に、図２を用いて図１に示したクライアント端末１００およびウェブサイトサーバ２００に適用可能な情報処理装置のハードウエア構成について説明する。図２は、クライアント端末１００およびウェブサイトサーバ２００に適用可能な情報処理装置のハードウエア構成を示すブロック図である。
【００１４】
図２において、２０１はＣＰＵで、システムバス２０４に接続される各デバイスやコントローラを統括的に制御する。また、ＲＯＭ２０２あるいは外部メモリ２１１には、ＣＰＵ２０１の制御プログラムであるＢＩＯＳ（ＢａＳｉｃ  Ｉｎｐｕｔ  ／  Ｏｕｔｐｕｔ  ＳｙＳｔｅｍ）やオペレーティングシステムプログラム（以下、ＯＳ）や、各サーバ或いは各ＰＣの実行する機能を実現するために必要は後述する各種プログラム等が記憶されている。
【００１５】
２０３はＲＡＭで、ＣＰＵ２０１の主メモリ、ワークエリア等として機能する。ＣＰＵ２０１は、処理の実行に際して必要なプログラム等をＲＯＭ２０２あるいは外部メモリ２１１からＲＡＭ２０３にロードして、該ロードしたプログラムを実行することで各種動作を実現するものである。
【００１６】
また、２０５は入力コントローラで、キーボード（ＫＢ）２０９や不図示のマウス等のポインティングデバイス等からの入力を制御する。２０６はビデオコントローラで、ＣＲＴディスプレイ（ＣＲＴ）２１０等の表示機への表示を制御する。なお、図２では、ＣＲＴ２１０と記載しているが、表示機はＣＲＴだけではなく、液晶ディスプレイ等の他の表示機であってもよい。これらは必要に応じて管理者が使用するものである。
【００１７】
２０７はメインコントローラで、ブートプログラム、各種のアプリケーション、フォントデータ、ユーザファイル、編集ファイル、各種データ等を記憶するハードディスク（ＨＤＤ）や、フレキシブルディスク（ＦＤ）、或いはＰＣＭＣＩＡカードスロットにアダプタを介して接続されるコンパクトフラッシュ（登録商標）メモリ等の外部メモリ２１１へのアクセスを制御する。
【００１８】
２０８は通信Ｉ／Ｆコントローラで、ネットワークを介して外部機器と接続、通信するものであり、ネットワークでの通信制御処理を実行する。例えば、ＴＣＰ／ＩＰを用いた通信等が可能である。
【００１９】
なお、ＣＰＵ２０１は、例えばＲＡＭ２０３内の表示情報用領域へアウトラインフォント展開（ラスタライズ）処理を実行することにより、ＣＲＴ２１０上での表示を可能としている。また、ＣＰＵ２０１は、ＣＲＴ２１０上の不図示のマウスカーソル等でのユーザ指示を可能とする。
【００２０】
本発明を実現するための後述する各種プログラムは、外部メモリ２１１に記録されており、必要に応じてＲＡＭ２０３にロードされることによりＣＰＵ２０１によって実行されるものである。さらに、上記プログラムの実行時に用いられる定義ファイル及び各種情報テーブル等も、外部メモリ２１１に格納されており、これらについての詳細な説明も後述する
【００２１】
＜オンラインアルバムサイトのトップ画面＞
次に、図３を用いて本実施の形態におけるウェブサイトサーバ２００で提供するウェブサイトについて説明する。図３は、ウェブサイトサーバ２００にアクセスしたクライアント端末１００の表示部に表示されるウェブサイトのトップ画面の構成例である。トップ画面３００は、ウェブサイトサーバ２００で提供されるオンラインアルバムの紹介画面であり、アルバム新規作成ボタン３０１の押下を受け付けると、図７の画像データのアップロード画面が表示される。また、３０２と３０３は、本ウェブサイトで提供するオンラインアルバムサイトによって作成されたアルバムを紹介する表示領域である。３０２、３０３には、例えば、ウェブサイトで特集を組んでいるトピックに関するアルバムがピックアップされたり、各トピックの業界に精通した人物である“モデレーター”と呼ばれるユーザが作成したアルバムが表示される。３０２、３０３のアルバム表示領域には、各アルバムの表紙のサムネイル画像と、アルバムタイトルと、アルバムの作成者（ウェブサイトの会員ユーザ名）が表示される。
【００２２】
＜フォトテンプレート＞
次に、クライアント端末１００からウェブサイトサーバ２００にアクセスをしてフォトテンプレートを選択、および編集する処理について説明する。本願発明の実施形態では、オンラインアルバムサイトが提供するフォトテンプレートと呼ばれる、あるテーマが設定されたシートを用いて、画像をアップロードしていく。
【００２３】
図９は、本願発明の実施形態でウェブサイトサーバ２００より取得する「フォトテンプレート」と呼ばれる、画像テーマが定められたテンプレートシートの表示例を示す図である。例えば、ウェブサイトサーバ２００には、複数のフォトテンプレートが登録されており、ユーザが好みのテンプレートを選択して使用する。
【００２４】
フォトテンプレートには、一つの大きなカテゴリに一定数のテーマが設けられている。例えば、図９では、「はじめてのどうぶつ編」というカテゴリに、「はじめての○×」という２５の小テーマが設定されている。ユーザは、このテーマに沿って画像をウェブサイトサーバ２００にアップロードしていく。一つのフォトテンプレートで全ての画像のアップロードが完成すると、「インセンティブ」と呼ばれる、テーマをコンプリートしたユーザにのみ与えられるコンテンツを取得することが可能になる。
【００２５】
＜オンラインアルバムサイトログイン処理＞
まず、クライアント端末１００では、ウェブサイトサーバ２００から提供されるインターネットサイトにアクセスをし、ユーザログインを実行する。ユーザログインでは、ユーザＩＤ（例えば、一意の文字列や、メールアドレスなども含む。）とパスワードの入力を受け付け、当該ユーザＩＤとパスワードをウェブサイトサーバ２００に送信すると、ウェブサイトサーバ２００の所定の記憶部に記憶しているユーザデータテーブル（不図示）に、送信されたユーザＩＤがデータテーブルに登録されているか、また当該ユーザＩＤに紐付いて記憶されているパスワードが、送信されたパスワードと一致するか否かを確認し、ユーザＩＤとパスワードが、ユーザデータテーブルに登録されている値と一致すれば、会員トップページ（図３）をクライアント端末１００に送信する。なお、ここでウェブサイトサーバ２００はユーザデータテーブルを必ずしも記憶する必要はなく、別途ユーザ認証用のサーバを用意しても構わない。
【００２６】
その後、図３のトップ画面において、表示するサービスの選択を受け付ける。例えば、図３では「Travel」、「Kids」のサービス（３０１）が表示されている。ここでフォトテンプレートのサービスを提供しているサービスカテゴリの押下指示を受け付ける。本実施の形態では、「Kids」のカテゴリで提供されるフォトテンプレートを利用すべく「Kids」のタブ３０１の押下を受け付けると、クライアント端末１００が、ウェブサイトサーバ２００に画面送信要求を行う。ウェブサイトサーバ２００は、クライアント端末１００からの画面送信要求を受信すると、図４のフォトテンプレート画面を送信するための画面表示データ（HTML）を送信する。
【００２７】
クライアント端末１００のＣＰＵ２０１は、ウェブサイトサーバ２００から送信される図４のフォトテンプレート画面を送信するための画面表示データを受信すると、ブラウザが解析をして、図４のフォトテンプレート画面を表示する。
【００２８】
＜フォトテンプレート画面＞
図４は、本実施の形態で、ユーザにインセンティブを提供するために、テーマに沿った画像が表示されるフォトテンプレート画面の表示例である。フォトテンプレート画面は、本実施の形態において「Kids」のカテゴリで提供されるサービスの一環である（あくまでも、サービスは一例でありこの限りではない）。
【００２９】
図４で「はじめてフォト」と書かれているタブ（４０１）のウェブページが、本実施の形態でフォトテンプレート画面が表示されるウェブページである。フォトテンプレート画面４００は、テンプレートタイトル４０２と、テンプレートのコンプリートまでの残枚数４０３と、編集ボタン４０４と、フォトテンプレート表示領域４０５と、「はじめてフォトムービー」取得ボタン４０６とを備えているものとする。
【００３０】
テンプレートタイトル４０２は、後述の図５で説明する、選択したフォトテンプレートのタイトルと、そのテンプレートを使用して、テーマ写真の撮影をしている被写体（キッズ）の名前とが表示されている。図４の表示例では、「植男くんのどうぶつ編３」というテンプレートタイトルが表示されているが、これは、選択されているテンプレートが「どうぶつ編３」であることと、テンプレートを使用してテーマ写真の撮影をしている被写体が「植男くん」であることを示す。
【００３１】
また、本実施の形態でユーザは複数種類のフォトテンプレートを使用して、被写体の画像をアップロードすることが可能である。このことから、ユーザが複数種類のフォトテンプレートを使用している場合には、４０２のテンプレートタイトルへ押下を受け付けることによって、４０５のフォトテンプレート表示領域に表示するテンプレートの切り換えをすることが可能である。ウェブサイトサーバ２００で記憶管理するユーザの使用するフォトテンプレートの記憶管理構造については、図１１で詳細に説明する。また、同じくウェブサイトサーバ２００で記憶管理する、本実施の形態のオンラインアルバムサイトで提供するフォトテンプレートの記憶管理構造については図１２で詳細に説明する。
【００３２】
残枚数４０３は、テンプレートに設定されたテーマ数のうち、残り何テーマの画像をアップロードすることが必要か否かを示している。例えば、図４であれば、フォトテンプレート表示領域４０５で設定されているテーマ数は２５であり、「残り１５枚（テーマ）」の画像をアップロードすれば、フォトテンプレートが完成することがわかる。
【００３３】
フォトテンプレート表示領域４０５は、選択されているフォトテンプレートで設定されているテーマの画像を表示する領域である。編集ボタン４０４の押下を受け付けると、フォトテンプレート表示領域に画像のアップロードを行ったり、既にアップロードされている画像の差し替えモードになる。フォトテンプレート表示領域４０５では、既にテーマに沿った画像をアップロードしたマス（コマ）と、まだ画像をアップロードしていないマスとを区別するための表示がされる。図４の表示例では、アップロード済みのマスに「☆」マーク（４０７）が表示されており、アップロードしていないマスには「？」マーク（４０８）が表示されている。
【００３４】
また、フォトテンプレート表示領域４０５で「☆」マーク４０７で表示されている、アップロード済みのマスは、実際にアップロードされている画像のサムネイルを表示することも可能である。この場合、クライアント端末１００より画像がアップロードされた際に生成されるサムネイル（図１１の１１０３）をフォトテンプレート表示画面に表示する。また、フォトテンプレートの表示領域のそれぞれのマスには、どのマスに何のテーマの画像がアップロードされているのかを示すテーマ「はじめてのXXXXX（テーマが入る）」が表示されている。
【００３５】
４１０は、オンラインアルバムサイトを利用する他のユーザからのコメントを受け付ける、若しくは他のユーザの使用するフォトテンプレートへのコメントを投稿するための投稿テキスト編集ボックスと、投稿ボタンである。
【００３６】
＜クライアント端末１００からの画像アップロード処理＞
次に、図１３のフローチャートを用いて、フォトテンプレート画面をクライアント端末１００に表示してからの処理について説明をする。
【００３７】
Ｓ１０１において、クライアント端末１００のＣＰＵ２０１は、ウェブサイトサーバ２００より送信されたフォトテンプレート画面（図４）の画面情報を受信すると、インターネットブラウザで画面情報（ＨＴＭＬ情報）を読込み、表示部に表示する。
【００３８】
Ｓ１０２において、クライアント端末１００のＣＰＵ２０１はフォトテンプレート画面４００を新規テンプレート作成ボタン（図４の４０９）の押下を受け付けると、フォトテンプレートを新規作成をするための画面を取得すべく、ウェブサイトサーバ２００に画面取得要求を含むアルバム作成指示を送信する。すなわち、S１０２で、新しいテンプレートを利用する場合（YES）には図１４の詳細フローに進む。図１４の説明は後述する。
【００３９】
また、現在表示されているフォトテンプレート画面のテンプレートに画像をアップロードする場合（NO）には、S１０３に進む。
【００４０】
Ｓ１０３において、クライアント端末１００のＣＰＵ２０１は、フォトテンプレート画面で設定されているテーマのうち、アップロード済みでないテーマの画像アップロードを受け付ける。具体的な方法例としては、フォトテンプレート表示領域４０５にカーソルをオーバーさせ、マウスの右クリック押下を受け付けると、図６のダイアログウィンドウが表示される。上記の表示方法はあくまでも一例であり、右クリック以外の方法で表示させることも可能である（カーソルオーバーだけでもよい）。または、画像が表示されているマスのうち、十字キーで画像をアップロードするマスを選択することも可能である。
【００４１】
S１０３において、クライアント端末１００のＣＰＵ２０１は、所定のマスで右クリックを受け付け６０１のダイアログウィンドウを表示させると、画像をどの画像記憶領域から取得するかの選択を受け付ける。６０１のダイアログで「ストレージから選択」もしくは、「PCから選択」の押下を受け付ける（S104）。
【００４２】
「ストレージから選択」もしくは、「PCから選択」の押下を受け付けると、S105では、画像アップロード画面を表示すべく、クライアント端末１００のＣＰＵ２０１は、ウェブサイトサーバ２００より送信された画面（図７）の画面情報を受信すると、インターネットブラウザで画面情報（ＨＴＭＬ情報）を読込み、表示部に表示する。
【００４３】
＜画像アップロード画面＞
図７の画像アップロード画面７００では、フォトテンプレートに表示（アップロード）するための画像の選択およびアップロードを実行する。４０１の「ストレージから選択」ボタンの押下を受け付けると、現在ログイン中のユーザ名で既にウェブサイトサーバ２００にアップロード済みであって、所定の記憶部に保存されている画像の一覧がクライアント端末１００の表示部に表示され、不図示の画像一覧画面よりアルバム作成のための画像選択を実行する。画像一覧画面では、画像を一枚づつ選択することも可能であり、また、複数枚選択することも可能である。
【００４４】
なお、図７の「パソコンからアップロード」ボタン７０２の押下を受け付けると、不図示の画像選択画面が起動し、クライアント端末１００の記憶領域（HD）からアップロードする画像の選択を受け付ける。もしくは７０３の「画像をドラッグ＆ドロップ」と記載された領域内に、クライアント端末１００、もしくはクライアント端末１００と接続している外部記憶装置に記憶されている画像のサムネイルをドラッグ＆ドロップで移動させると、選択を受け付けた画像のアップロードを開始させることも可能である。
【００４５】
７０３の領域にドラッグ＆ドロップで画像を移動させた場合は、画像の１データごとにアップロード処理が開始し、ユーザに対して７０５のアップロードメーターで処理状況を確認させることができる。アップロード処理が完了した画像は、サムネイルが生成されて０６のアップロード画像表示領域に、サムネイルが表示される。この場合、ドラッグ＆ドロップで移動させた画像を１枚ずつアップロードさせていくことになるため、ウェブサイトサーバ２００の所定の記憶部への画像記憶はその都度行われることになる。
【００４６】
引き続き図１３に戻り、S１０６においてクライアント端末１００のＣＰＵ２０１は、S１０５で画像アップロード画面が表示されると、S１０４で選択した画像記憶領域（ウェブサイトサーバ２００のストレージ、若しくはクライアント端末１００のローカル）から、アップロードする画像の選択を受け付ける。
【００４７】
S１０６で、アップロードする画像の選択を受け付け、S１０７でクライアント端末１００で表示されている図７の画像アップロード画面の「アップロードボタン」７０４押下を受け付けると、クライアント端末１００のＣＰＵ２０１は、選択した画像をフォトテンプレートに記憶すべく、画像のアップロードを開始する。なお、アップロード中は図７のアップロードメーター７０５が、画像のアップロード進捗状況を更新し続けている。
【００４８】
S１０８で、クライアント端末１００のＣＰＵ２０１は、ウェブサイトサーバ２００への画像アップロードが完了したという情報を、ウェブサイトサーバ２００より受信する。
【００４９】
S１０９で、クライアント端末１００のＣＰＵ２０１は、図４のフォトテンプレート画面（はじめてフォトトップ画面）を更新し、画像のアップロードが完了したテンプレートのマスに、画像がアップロードされたことを示すマーク（例えば「☆」マーク）か、アップロードした画像のサムネイルを表示する。
【００５０】
S１１０で、クライアント端末１００のＣＰＵ２０１は、フォトテンプレートで設定されているテーマの画像アップロードが全て終了しているかどうかの判定をする。全てのテーマに画像がアップロードされている場合には、S１１１に進む。
【００５１】
S１１１で、クライアント端末１００のＣＰＵは、図４のフォトテンプレート画面４００の「はじめてフォトムービー閲覧ボタン」（４０６）をアクティブボタンとして、テーマの画像を全てアップロードしたことに対するインセンティブをユーザに対して提供する。また、テーマの画像を全て達成した場合には、図８の、達成ダイアログ（例えば、「CONGRATULATIONS!!」が表記されているダイアログ）８０１をフォトテンプレート画面４００をグレーアウトさせた状態で表示させ、８０２の「はじめてフォトムービー開始ボタン」の押下受付によって、インセンティブの提供を開始させてもよい。
【００５２】
S１１２で、クライアント端末１００のＣＰＵ２０１は「はじめてムービーの開始」８０２もしくは、図４の４０６のボタン押下を受け付けると、ウェブサイトサーバ２００より提供されるインセンティブの再生を開始する。
【００５３】
＜新規テンプレートの作成＞
図１４のフローチャートは、フォトテンプレート画面４００で、新規テンプレートの作成指示を受け付けた場合（S１０２でYES）の処理を示している。クライアント端末１００のＣＰＵ２０１は、図４の「新規テンプレート作成ボタン」４０９押下を受け付けると、S２０１で、新しく作成するフォトテンプレートの選択画面を表示する。具体的には、ウェブサイトサーバ２００にフォトテンプレート選択選択画面の画面情報とともに、選択可能なフォトテンプレートの情報を取得する。ウェブサイトサーバ２００の記憶部で記憶しているフォトテンプレートのデータテーブルは、後述の図１２で説明をする。
【００５４】
S２０２で、クライアント端末１００のＣＰＵ２０１は、新しく作成するフォトテンプレートの選択を受け付け、S２０３で、テンプレートを適用する被写体（キッズ）を決定する。
【００５５】
S２０４で、クライアント端末１００のＣＰＵ２０１は、「テンプレート作成ボタン」の押下を受け付けると、フォトテンプレートが作成される。
【００５６】
＜フォトテンプレート選択画面＞
図５は、S２０１でクライアント端末１００の表示部に表示されるフォトテンプレート選択画面の表示例である。５０１は、ウェブサイトサーバ２００で記憶管理しているフォトテンプレートの一覧である。
フォトテンプレートの記憶管理状況は図１２で詳細に説明をする。
【００５７】
５０２は、S２０２でフォトテンプレートを適用する被写体（本実施の形態ではキッズ）の選択を受け付けるプルダウンボックスである。本実施の形態では「愛  植男くん」と「柿  区毛子ちゃん」がユーザの選択可能なキッズとして登録されている。現在登録している被写体（キッズ）とは別の被写体をテンプレートに適用する場合には、５０２のプルダウンで「新規登録」を選択すると、図１５〜図９の被写体新規登録ダイアログが表示される。当該ダイアログに従って新たな被写体を追加することによって、テンプレートへの適用が可能になる。
【００５８】
５０３は、オリジナルフォトテンプレートを作成をするためのボタンである。本ボタンは、オリジナルフォトテンプレートを生成する権限が与えられているユーザアカウントでログインしている時にのみ、表示される。オリジナルフォトテンプレートを生成する権限が与えられているユーザアカウントとは、例えば、本実施の形態のオンラインアルバムサイトの管理者アカウントや、有料会員アカウントのことを指す。
【００５９】
５０４の「テンプレート作成ボタン」の押下を受け付けると、フォトテンプレートが、ユーザによって選択された情報を基に作成され、ユーザデータと紐付いて、ウェブサイトサーバ２００に登録される。
【００６０】
＜フォトテンプレートの記憶管理＞
図１２の（A）は、ウェブサイトサーバ２００で記憶管理する、フォトテンプレートのデータテーブルである。フォトテンプレートのデータテーブルは、「フォトテンプレートタイトル」１２０２と、夫々のテンプレートで設定されている「テーマ」１２０３とが、当該テンプレートのテーマを全てコンプリート（画像をアップロード）することにより提供される「インセンティブ」１２０１と紐付いて管理されている。
【００６１】
例えば、１２０２で示す「はじめてのどうぶつ編１」、「はじめてのどうぶつ編２」、「はじめてのどうぶつ編３」は、フォトテンプレートタイトルに当たり、図５のフォトテンプレート選択画面のテンプレート一覧５０１に表示されるほか、テンプレートが作成されたあとの図４のフォトテンプレート画面において、フォトテンプレートタイトル４０２としても表示される。
【００６２】
それぞれのフォトテンプレートには、「テーマ」１２０３が設定されており、たとえば、「はじめてのオランウータン」や「はじめてのマレーバク」といったように、フォトテンプレート表示領域４０５で各テーマが表示される。更に図４の４０５では、各マスにテーマが表記され、どのマスに何のテーマの画像が表示されるのかを認識することができる。
【００６３】
１２０１は、フォトテンプレートで設定されているテーマを全てコンプリート（画像をアップロード）することにより提供されるデジタルインセンティブの種類を示している。
【００６４】
デジタルインセンティブとは、本発明を適用するオンラインアルバムサイトである特定の条件を達成した場合にユーザに提供される、一般のユーザでは閲覧ができないコンテンツのことである。例えば、本実施の形態では、フォトテンプレートのテーマに沿うようアップロードした画像をムービー形式にした「はじめてムービー」をデジタルインセンティブとして提供する設定となっているが、あくまでも一例であり、その限りではない。
【００６５】
また図１２ではデジタルインセンティブは、フォトテンプレートと一対一で紐付いて記憶されている設定になっているが、例えば、複数種類のデジタルインセンティブが、一つのフォトテンプレートと紐付いていて、コンプリートをした時に、複数種類の中からランダムで提供される形式にしても構わない。
【００６６】
また、フォトテンプレート使用開始時から、コンプリートの期間に応じて、ユーザに提供するデジタルインセンティブの内容を変更する設定にすることも可能である。図１２の（B）は、ユーザにデジタルインセンティブを提供する際の条件設定例である。例えば、一つのフォトテンプレートのコンプリート期間が「３０日以内」であれば、第一優先のデジタルインセンティブ（リッチなつくりのもの）を提供し、「３１日以上、90日以内」であれば、第二優先のデジタルインセンティブ（スタンダードなつくりのもの）を提供する、など、コンプリートまでの期間に応じた、ランクの違うテンプレートを提供することで、ユーザの利用意欲を促進させる効果が見込まれる。この条件設定は、本発明の実施形態の管理者ユーザアカウントでログインすることにより、実施可能である。
【００６７】
なお、ウェブサイトサーバ２００で記憶管理しているフォトテンプレートと、テンプレートに設定するテーマは、編集権限を与えられたアカウントで本実施の形態のオンラインアルバムサイトにログインすることにより、新規テンプレートを生成してウェブサイトサーバ２００に記憶させる処理や、既に記憶しているフォトテンプレートに設定されるテーマの編集を行うことが可能である。
【００６８】
編集権限を与えられたアカウントとは、例えば、オンラインアルバムサイトの管理者ユーザアカウントや、ウェブサイトサーバ２００に記憶されている（プリインストールされている）フォトテンプレート以外のオリジナルフォトテンプレートを生成することができる有料会員アカウントなどがある。
【００６９】
有料会員アカウント等で生成されたオリジナルテンプレートで設定されたテーマを全てコンプリートした際に、クライアント端末１００が取得できるデジタルインセンティブも、テンプレートの生成者が設定することができる。例えば、プリインストールされているデジタルインセンティブを設定することも可能であるし、また、テンプレートの生成者が作成したデジタルコンテンツ（例えば、動画、静止画、音声ファイル等）を設定することも可能である。
【００７０】
＜フォトテンプレートにアップロードした画像の記憶管理＞
図１１はウェブサイトサーバ２００の記憶部で記憶管理しているユーザデータと、ユーザによって作成されたフォトテンプレートと、フォトテンプレートごとのテーマに沿ってアップロードされた画像とを紐付けて記憶しているユーザデータテーブルである。
【００７１】
ユーザ名１１０１は、本実施の形態で実現するオンラインアルバムサイトを利用するユーザを一意に識別する文字列である。一般的に、ユーザID（例えば、kiyanon1000など）や、ユーザの名前そのもの（例えば、木谷野  太郎）がこれに当たる。ユーザ名１１０１は、ユーザがオンラインアルバムサイトを利用する際に、会員情報として登録される。
【００７２】
次に、テンプレート１１０２は、ユーザが現在使用しているフォトテンプレートを示している。具体的には、先述の図１２でウェブサイトサーバ２００で記憶管理され、ユーザによる「新規テンプレート作成」の指示で作成され、ユーザが本実施の形態でオンラインアルバムサイトにログインした際にフォトテンプレート画面４００で表示されるものである。
【００７３】
１１０３、１１０４、１１０５、１１０６は、テンプレートのテーマに沿ってアップロードされている画像データ（１１０３）と、当該画像がクライアント端末１００からアップロードされた時に生成されるサムネイル画像（１１０４）と、図１０で示す画像のメタデータ（例えば、Exif形式のデータ）（１１０５）と、画像がテンプレートのどのテーマに沿ってアップロードされたかを示すテーマ（１１０６）を示している。
【００７４】
図１１のデータテーブル構成例は、ユーザ「kiyanon1000」は、「はじめてのどうぶつ編１」と、「はじめてのどうぶつ編2」のフォトテンプレートを使用しており、「はじめてのどうぶつ編１」のテンプレートには、モルモット、カピパラ、アリクイ、チンパンジー、インドゾウがテーマの画像がアップロードされて、紐付けて記憶されている状態を示している。
【００７５】
また、１１０７は、画像がテンプレートがウェブサイトサーバ２００にアップロードされた記録日が記録される。これは、のちにユーザがデジタルインセンティブを取得する際の条件として用いられるものである。一つのフォトテンプレートに設定されたテーマを所定の日数以内に達成した場合に、取得可能なデジタルインセンティブの種類が異なってくるため、アップロード日時が記録される。
【００７６】
＜画像のメタデータテーブル＞
図１０は画像がもつメタデータのデータテーブル構成の一例を示す図である。画像のメタデータには、例えば、「撮影機種」、「撮影日時」、「ＧＰＳ座標」、「撮影モード」、「画像シリアルナンバー」の情報をもっている。
【００７７】
本願発明の実施形態において、フォトテンプレートにアップロードするデジタルコンテンツは、「静止画像」を前提に説明を進めてきた。しかしながら、アップロードするコンテンツの種類はこれに限定されることなく、「動画像」であっても「音声ファイル」であっても何ら問題はない。
【００７８】
以上、本発明によれば、ユーザがインターネットで提供されるウェブサイトに画像を投稿することによって、一定条件を満たすことでインセンティブを得られる仕組みを提供することが可能になる。
【００７９】
即ち、本発明は、コンテンツデータを送信するクライアント端末と接続可能であり、ユーザ操作による前記コンテンツデータをアップロードを受け付けるテンプレートを記憶する情報処理装置において、前記ユーザの操作指示によって選択された前記テンプレートを表示するための画面情報を前記クライアント端末に送信するテンプレート送信手段と、前記テンプレート送信手段で前記クライアント端末に送信した前記テンプレートに含まれる特定のテーマに基づいてアップロードされる前記コンテンツを受信する受信手段と、前記受信手段で受信した前記コンテンツデータを前記テンプレートに含まれるテーマと紐付けて記憶するコンテンツ記憶手段と、前記コンテンツ記憶手段で記憶している前記テンプレートに含まれる全てのテーマと紐付くコンテンツデータが記憶されているか否かを判定する判定手段と、前記判定手段で前記テンプレートに含まれる全てのテーマが前記コンテンツデータと紐付いて記憶されている場合に、当該テンプレートのテーマに基づいて前記コンテンツデータをアップロードしているクライアント端末に対して、前記全てのテーマに対してコンテンツデータを送信したユーザに対して提供されるインセンティブを送信するインセンティブ送信手段とを備えることを特徴とする。
【００８０】
以上のように、前述した実施形態の機能を実現するプログラムを記録した記録媒体を、システムあるいは装置に供給し、そのシステムあるいは装置のコンピュータ（またはＣＰＵやＭＰＵ）が記録媒体に格納されたプログラムを読出し実行することによっても、本発明の目的が達成されることは言うまでもない。
【００８１】
この場合、記録媒体から読み出されたプログラム自体が本発明の新規な機能を実現することになり、そのプログラムを記憶した記録媒体は本発明を構成することになる。
【００８２】
プログラムを供給するための記録媒体としては、例えば、フレキシブルディスク，ハードディスク，光ディスク，光磁気ディスク，ＣＤ−ＲＯＭ，ＣＤ−Ｒ，ＤＶＤ−ＲＯＭ，磁気テープ，不揮発性のメモリカード，ＲＯＭ，ＥＥＰＲＯＭ，シリコンディスク等を用いることができる。
【００８３】
また、各装置が読み出したプログラムを実行することにより、前述した実施形態の機能が実現されるだけでなく、そのプログラムの指示に基づき、コンピュータ上で稼働しているＯＳ（オペレーティングシステム）等が実際の処理の一部または全部を行い、その処理によって前述した実施形態の機能が実現される場合も含まれることは言うまでもない。
【００８４】
さらに、記録媒体から読み出されたプログラムが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって前述した実施形態の機能が実現される場合も含まれることは言うまでもない。
【００８５】
また、本発明は、複数の機器から構成されるシステムに適用しても、１つの機器からなる装置に適用してもよい。また、本発明は、システムあるいは装置にプログラムを供給することによって達成される場合にも適応できることは言うまでもない。この場合、本発明を達成するためのプログラムを格納した記録媒体を該システムあるいは装置に読み出すことによって、そのシステムあるいは装置が、本発明の効果を享受することが可能となる。
【００８６】
さらに、本発明を達成するためのプログラムをネットワーク上のサーバ，データベース等から通信プログラムによりダウンロードして読み出すことによって、そのシステムあるいは装置が、本発明の効果を享受することが可能となる。
なお、上述した各実施形態およびその変形例を組み合わせた構成も全て本発明に含まれるものである。
【００８７】
また上記のソフトウェアで実現する各処理を、ファームウェアやハードウェア構成にして、各処理を各手段として実現することも可能であり、本発明の技術的範囲はこのようなファームウェアやハードウェア構成による実現も含むものである。
【符号の説明】
【００８８】
１      ネットワーク
１００  クライアント端末
２００  ウェブサイトサーバ
２０１  ＣＰＵ
２０２  ＲＯＭ
２０３  ＲＡＭ
２０４  システムバス
２０５  入力コントローラ
２０６  ビデオコントローラ
２０７  メモリコントローラ
２０８  通信Ｉ／Ｆコントローラ
２０９  入力装置（ＫＢ）
２１０  表示装置（ＣＲＴ）
２１１  外部メモリ
【図１】
0005990891.tif 000002
【図２】
0005990891.tif 000003
【図３】
0005990891.tif 000004
【図４】
0005990891.tif 000005
【図５】
0005990891.tif 000006
【図６】
0005990891.tif 000007
【図７】
0005990891.tif 000008
【図８】
0005990891.tif 000009
【図９】
0005990891.tif 000010
【図１０】
0005990891.tif 000011
【図１１】
0005990891.tif 000012
【図１２】
0005990891.tif 000013
【図１３】
0005990891.tif 000014
【図１４】
0005990891.tif 000015
【図１５】
0005990891.tif 000016
【図１６】
0005990891.tif 000017
【図１７】
0005990891.tif 000018